(57)【特許請求の範囲】
【請求項１】
透明支持体及び該透明支持体上に細密充填で敷き詰めた複数の透明球体から構成される複眼レンズ板と、
該透明球体の間隔と同じ間隔でドット状の印刷パターンを配置した印刷物とを備え、
該透明球体の接着点が該印刷パターンのドットの位置と一致するように、該印刷物の印刷パターンが配置された面に該複眼レンズ板を重ねた場合に、印刷パターンが表示されることを特徴とする表示体。
【請求項２】
透明支持体及び該透明支持体上に細密充填で敷き詰めた複数の透明球体から構成される複眼レンズ板と、
該透明球体の間隔と同じ間隔でドット状の第１の印刷パターン及び第２の印刷パターンを、各々を構成するドットが重ならないように配置した印刷物とを備え、
該透明球体の接着点が該第１の印刷パターンのドットの位置と一致するように、該印刷物の印刷パターンが配置された面に該複眼レンズ板を重ねた場合に、第１の印刷パターンが表示され、該透明球体の接着点が該第２の印刷パターンのドットの位置と一致するように、該印刷物の印刷パターンが配置された面に該複眼レンズ板を重ねた場合に、第２の印刷パターンが表示されることを特徴とする表示体。
【請求項３】
透明支持体及び該透明支持体上に細密充填で敷き詰めた複数の透明球体から構成される複眼レンズ板と、
該透明球体の間隔と同じ間隔でドット状の第１の印刷パターン及び第２の印刷パターンを、各々を構成するドットが重ならないように配置した印刷物とを備え、
第１の視点と透明球体の中心とを結ぶ線の延長線上に、該第１の印刷パターンを構成するドットが配置され、別の第２の視点と該透明球体の中心とを結ぶ線の延長線上に、該第２の印刷パターンを構成するドットが配置されるように、該印刷物の印刷パターンが配置された面に該複眼レンズ板を重ねることを特徴とする表示体。
【請求項４】
前記第１の印刷パターンを構成するドットと前記第２の印刷パターンを構成するドットとを結ぶ線上の中央の位置と、該透明球体の接着点とが重なるように、該印刷物の印刷パターンが配置された面に該複眼レンズ板を重ねることを特徴とする請求項３に記載の表示体。
【請求項５】
前記印刷物として、構成するドットが重ならないように３個以上の複数の印刷パターンを配置した印刷物を用いることを特徴とする請求項２乃至４のいずれか１項に記載の表示体。
【請求項６】
前記印刷パターンを構成するドットの大きさが、前記透明球体の直径の１０分の１程度であることを特徴とする請求項１乃至５のいずれか１項に記載の表示体。
【発明の詳細な説明】
【０００１】
【発明の属する技術分野】
本発明は、複数の文字、絵柄等のパターンがドッドで構成されている媒体（印刷物）に、複眼レンズ板をあてて、このドットの集合を観察することによって個々の文字、絵柄が分離され認識できる表示体に関するものである。
【０００２】
この表示体の応用の一つとして、抽選券や絵本、さらには偽造防止を必要とする商品の絵柄中に隠し文字やパターンを入れることができ専用の複眼レンズ板を用いて隠し文字等を見ることができる表示体であったり、或いは観察する位置等によって異なる文字、絵柄のパターンが認識できるマルチディスプレイとして用いることが可能である。
本明細書において、印刷パターン等を構成するドットとは、凸版印刷、オフセット印刷等の印刷方式で作られたドットに限らず、インキジェット方式、写真方式等で作成されたものも包含する。
【０００３】
【従来の技術】
従来から印刷物に隠し文字等を入れる方法は種々ある。例えば、透明インキメジウム中にフィラーを入れたものを印刷し、鉛筆でその部分を擦ると鉛筆の粉が印刷部分に付着して隠し文字が現れる鉛筆出し印刷（デコマット）がある。これらの隠し文字はよく見るとわかってしまうため、本格的な隠し文字というよりは、遊び用として使用されている。また、不可逆性感熱発色インキは、熱をかけることによって発色するインキで、白色もしくは無色透明のインキが有り、隠し文字等の印刷に適しているが、隠し文字を発色させるための熱源装置が必要であり、一回隠し文字を発色させたものを消色することができないため、用途が限定される。
【０００４】
可逆性感熱発色インキ（サーモクロミックインキ）は、熱をかけることによって可逆的に発色するインキで、熱を加えると発色もしくは消色し、しばらく放置すると元の状態に戻るものである。このインキも隠し文字として、若しくは、隠し文字を隠蔽するというかたちで使われているが、耐性とくに耐熱性が弱いことにより用途が限定される。
【０００５】
また、フォトクロミックインキは、光、特に紫外線を照射することにより発色するインキで、白色もしくは無色透明のインキが有り隠し文字の印刷に用いられているが、耐性とくに耐光性が弱いことにより用途が限定されている。
【０００６】
蛍光インキは、紫外線を照射することにより発光するインキで、白色または無色透明のインキが有り、隠し文字の印刷に用いられている。蛍光インキには有機タイプと無機タイプがあり、有機タイプは印刷インキ中にごく少量（０．５％程度）含有するだけで発光が確認されるが、耐光性が弱いために用途が限定される。また、無機タイプは印刷インキ中に多く入れる必要があり（１０％程度）、隠し文字としてはよく見るとわかってしまうため、デザイン等に工夫が必要である。
【０００７】
ランダムドットステレオグラムは、ランダムなドット、パターン状の絵柄を、平行法、交差法等を用いて見つめると、平面の絵柄から立体的な絵柄が見えるものだが、立体画像を見るためにはコツが必要であることより、この方式の隠し文字を入れる場合も用途が限定される。
また、上述した各偽造防止手段は、基本的には一つの媒体に１の印刷パターンしか記録できず複数の印刷パターンを記録するには不適当である。
【０００８】
また、従来からマルチディスプレイなる一画面に複数の情報を表示させる方法は種々提示されている。例えば、三角柱を並べて画面を形成し、並べた三角柱の側面に情報を描くことによって一つの画面ができ、三角柱を軸方向に回転させることで違う側面を表に出し、その部分に他の情報を描くことにより計３パターンの画像を形成することができるディスプレイがある。しかし、三角柱を動かすのに仕掛けが必要であり、その多くは電動式であるため大がかりな設備が必要となる。
また、複数の文字、絵柄等の印刷パターンを線状に並べて画像を合成した媒体に、円筒柱のレンズを並べたレンチキュラー板を貼り合わせることで観察する位置によって複数の情報が表示可能なディスプレイがある。しかし、このレンチキュラー板を使用したディスプレイの観察する位置変化は、円筒柱の軸方法と直角方法にのみに限定されてしまう問題がある。
すなわち、通常はレンチキュラー板の円筒柱の軸は上下方向に観察する位置は水平方向にするので観察する位置は水平方向のみに限定にされてしまい上下方向に観察位置を変えては印刷パターンが変化しないと言う欠点がある。
【０００９】
【発明が解決しようとする課題】
本発明は、複数の文字、絵柄等の印刷パターンがドットで構成されている一つの媒体に複眼レンズ板を用いて、個々の文字、絵柄が分離されて認識されることを応用して新たな偽造防止対策が施されている表示体及びマルチディスプレイを提供することを課題とする。
【００１０】
【課題を解決するための手段】
本発明に於いて上記課題を達成するために、まず請求項１においては、透明支持体及び該透明支持体上に細密充填で敷き詰めた複数の透明球体から構成される複眼レンズ板と、該透明球体の間隔と同じ間隔でドット状の印刷パターンを配置した印刷物とを備え、該透明球体の接着点が該印刷パターンのドットの位置と一致するように、該印刷物の印刷パターンが配置された面に該複眼レンズ板を重ねた場合に、印刷パターンが表示されることを特徴とする表示体である。
【００１１】
また、請求項２においては、透明支持体及び該透明支持体上に細密充填で敷き詰めた複数の透明球体から構成される複眼レンズ板と、該透明球体の間隔と同じ間隔でドット状の第１の印刷パターン及び第２の印刷パターンを、各々を構成するドットが重ならないように配置した印刷物とを備え、該透明球体の接着点が該第１の印刷パターンのドットの位置と一致するように、該印刷物の印刷パターンが配置された面に該複眼レンズ板を重ねた場合に、第１の印刷パターンが表示され、該透明球体の接着点が該第２の印刷パターンのドットの位置と一致するように、該印刷物の印刷パターンが配置された面に該複眼レンズ板を重ねた場合に、第２の印刷パターンが表示されることを特徴とする表示体である。
【００１２】
また、請求項３においては、透明支持体及び該透明支持体上に細密充填で敷き詰めた複数の透明球体から構成される複眼レンズ板と、
該透明球体の間隔と同じ間隔でドット状の第１の印刷パターン及び第２の印刷パターンを、各々を構成するドットが重ならないように配置した印刷物とを備え、
第１の視点と透明球体の中心とを結ぶ線の延長線上に、該第１の印刷パターンを構成するドットが配置され、別の第２の視点と該透明球体の中心とを結ぶ線の延長線上に、該第２の印刷パターンを構成するドットが配置されるように、該印刷物の印刷パターンが配置された面に該複眼レンズ板を重ねることを特徴とする表示体である。
【００１３】
また、請求項４においては、前記第１の印刷パターンを構成するドットと前記第２の印刷パターンを構成するドットとを結ぶ線上の中央の位置と、該透明球体の接着点とが重なるように、該印刷物の印刷パターンが配置された面に該複眼レンズ板を重ねることを特徴とする請求項３に記載の表示体である。
【００１４】
また、請求項５においては、前記印刷物として、構成するドットが重ならないように３個以上の複数の印刷パターンを配置した印刷物を用いることを特徴とする請求項２乃至４のいずれか１項に記載の表示体である。
【００１６】
また、請求項６においては、前記印刷パターンを構成するドットの大きさが、前記透明球体の直径の１０分の１程度であることを特徴とする請求項１乃至５のいずれか１項に記載の表示体である。
【００１７】
【発明の実施の形態】
以下、本発明の実施の形態によって図面を参照して詳細に説明する。
【００１８】
図１は、本発明の複眼レンズ板の一実施例を示す平面図であり、図２は図１の複眼レンズ板のＸ−Ｘ線における拡大した断面図である。図３は、複眼レンズ板を通して見るための媒体（印刷物）の一実施例の平面図であり、図４は表示原理についての説明図であり、また図５は図３に示す媒体（印刷物）に複眼レンズ板を重ねた時の表示状態を示す図である。図６は印刷パターンを複数印刷した媒体（印刷物）の一実施例であり、図７、図８は図６に示す媒体（印刷物）に複眼レンズ板を重ねたときの表示状態を示す図である。
【００１９】
図１及び図２に示すように、本発明の複眼レンズ板（１）は、透明球体（１１）およびそれを支持するための透明支持体（１２）から構成されており、透明球体（１１）は透明支持体（１２）上に規則正しく整列されて固定している。
透明球体（１１）は、ガラスビーズが好ましく、それ以外でもポリエチレンテレフタレート、ポリ塩化ビニル、ポリエステル、ポリカーボネイト、ポリメタクリル酸メチル、ポリスチレン等の合成樹脂、天然樹脂等の材料を使用することができる。
透明支持体（１２）は、ポリエチレンテレフタレート、ポリ塩化ビニル、ポリエステル、ポリカーボネイト、ポリメタクリル酸メチル、ポリスチレン等の合成樹脂、天然樹脂、ガラス等の材料を使用することができるが、表示の文字パターン等をより鮮明にするため、板の厚みは１００μｍ以下が好ましく、この状態にてある程度の剛性および表面の平滑性を有していればよい。
【００２０】
図３に示す本発明における媒体（印刷物）（２）は、印刷用紙（２１）上に通常行われている、オフセット印刷法、グラビア印刷法、スクリーン印刷法等で印刷パターン（２２）を印刷したものであり、図１に示す透明球体（１１）の配列および間隔と同じ配列・間隔でドット状のパターンを印刷する。ドットの大きさは、透明球体（１１）の直径の１０分の１程度が好ましいが、透明球体（１１）の材質および屈折率により１０分の１以下でも問題なく表示できるものもある。ただし、透明球体（１１）の配列のずれおよび透明球体（１１）の大きさのばらつき、印刷精度のことを考慮に入れるとドットの大きさはある程度大きい方が良い。
【００２１】
媒体の基材は印刷用紙に限定されるものではなく、ドッドが形成できる平板状のプラスチック板、プラスチックフィルム、ガラス板等であってもよく、ディスプレイの場合にはプラスチック板、プラスチックフィルムが主に用いられる。
【００２２】
図４は本発明における表示の原理を示す拡大した断面図であり、媒体（印刷物）（２）上に複眼レンズ板（１）を透明球体（１１）の接着点を印刷パターン（２２）のドットに重なるように置いたとき、複眼レンズ板（１）を真上から見ると印刷パターン（２２）のドットの上に透明球体（１１）を置いた部分の透明球体（１１）がレンズの役目を果たし真上から見ると透明球体全体が黒く（１３）見える。また、ドットの上に置いていない透明球体（１１）は印刷用紙（２１）の色（１４）が見える。従ってこのドットの集合で全体のパターンを認識することができる。
【００２３】
図５は、上記原理により表示された文字パターンである。複眼レンズ板（１）の透明球体（１１）の配列ピッチと同じドットにて印刷された媒体（印刷物）（２）に複眼レンズ板（１）を重ね、複眼レンズ板（１）を動かし、ある位置に持っていくと突如文字パターンが表示される。
【００２４】
図６に示す媒体（印刷物）（３）は、印刷パターンのドットに重ならないように新たな印刷パターンを印刷したものであり、この印刷物（３）上に複眼レンズ板（１）を重ね、ある位置に置くと図７に示す如く第１の印刷パターンが現れ、更に複眼レンズ板１を少し動かすと図８に示す如く第２の印刷パターンが現れる。
図６の例として、第１の印刷パターンとして『凸』、第２の印刷パターンとして『版』を用いた場合である。
【００２５】
上記のように、印刷パターンのドットが互いに重ならないように構成し印刷することで印刷用紙上に数種類の印刷パターンを入れることができ、この印刷だけではどのような図柄，文字が印刷されているかわからないが、複眼レンズ板（１）を使用することでそれぞれの印刷パターンを独立して表示することが可能である。
【００２６】
なお、複眼レンズ板（１）は、透明支持体（１２）に透明球体（１１）を整列接着しても良いが、一体成形したハニコムレンズ等でも良く、その場合背面に単位レンズの光軸を除きマスクを形成しておくことが好ましい。
【００２７】
図９は、印刷パターンのドットが互いに重ならないように、ドットの位置を水平方向に設けた場合の媒体（印刷物）と複眼レンズ板の位置関係を示す図であり、図９（ｂ）は第１の印刷パターン（２２Ａ）のドット上に複眼レンズ板の透明球体の接着点とが重なるように置き真上から見ると第１の印刷パターンのみが観察できることを示す。図９（ｃ）は、複眼レンズ板を横方向に移動させ第２の印刷パターン（２２Ｂ）のドット上に複眼レンズ板の透明球体の接着点とが重なるように置き真上から見ると第２の印刷パターンのみが観察できることを示す。
このようにすると複眼レンズ板を水平方向に移動されることで第１の印刷パターン、第２の印刷パターンを別々に観察することができる。
【００２８】
上記のように視点を変えないで、複眼レンズ板を移動させることで個々の印刷パターンを観察することができるが、複眼レンズ板を固定し視点を変えることでも個々の印刷パターン観察することができる。
マルチディスプレイとして応用する場合には、複眼レンズ板を移動させるよりも、視点の位置を変えることで異なった絵柄（印刷パターン）を観察する方法が一般的である。
【００２９】
図１０は、視点を変えることで異なった絵柄（印刷パターン）を観察する場合を説明する図である。
図１０では、請求項４に記載した様に、第１の印刷パターン（２２Ａ）と第２の印刷パターン（２２Ｂ）のドットの中央位置に単位レンズの光軸位置を一致させる様に複眼レンズ板を媒体（印刷物）（２）に貼り付けて固定し、視点Ａで第１の印刷パターン、視点Ｂで第２の印刷パターンを観察することができることを示している。
複眼レンズ板の単位ピッチは観察距離に比較して極めて小さいので、この様に視点から観察する場合、各単位レンズに対して平行光と見做すことができ、視点位置を変えることで異なった絵柄（印刷パターン）が観察される。
【００３０】
図１１は、単位レンズ当たりに３個のドットで３種類の印刷パターンが構成された場合であり、複眼レンズ板を媒体（印刷物）に貼り付けて固定し、視点Ａ，視点Ｂ，視点Ｃの位置で、それぞれ第１の印刷パターン（２２Ａ），第２の印刷パターン（２２Ｂ），第３の印刷パターン（２２Ｃ）をそれぞれ観察することができることを示している。すなわち、構成したドットの印刷パターンの数だけ視点を変えることで異なった絵柄（印刷パターン）を観察することが原理的に可能である。
【００３１】
【実施例】
本発明を、具体的な実施例を挙げて詳細に説明する。
＜実施例１＞
１００μｍ厚の透明ＰＥＴ上にφ１．２ｍｍのガラスビーズを六方細密充填方式にて平面に並べて、ポリエステル系透明樹脂にてガラスビーズを固定して複眼レンズ板を得た。
上記１．２ｍｍピッチで六方細密のφ０．１５ｍｍのドットから構成される印刷パターンを製版し、オフセット印刷法にて印刷物を得た。
【００３２】
上記印刷物の上に複眼レンズ板を重ね、印刷物のドットとガラスビーズ（透明球体）が重なるように複眼レンズ板を合わせると、ドットで構成された印刷パターンが複眼レンズ板を通して鮮明に表示された。また、この複眼レンズ板を少し動かすと印刷パターンが消え、下地の用紙の色が複眼レンズ板を通して映し出された。
【００３３】
＜実施例２＞
１．２ｍｍピッチで六方細密のφ０．１５ｍｍのドットから構成される印刷パターンを２種類用意し、それぞれのドットが重ならないように合成させたものを製版し、オフセット印刷法にて印刷物を得た。
【００３４】
上記印刷物の上に実施例１で得た複眼レンズ板を重ね、印刷物のドットとガラスビーズが重なるように複眼レンズ板を合わせると、複眼レンズ板を通して１つの印刷パターンが鮮明に表示された。また、この複眼レンズ板を少し動かすと、さらに別の印刷パターンが鮮明に表示された。さらに複眼レンズ板を動かすと、印刷パターンが消え、下地の用紙の色が複眼レンズ板を通して映し出された。
【００３５】
＜実施例３＞
実施例１，２のドットから構成される印刷パターンを６種類用意し、それぞれのドットが重ならないように合成し、製版したものをオフセット印刷法にて印刷し、印刷物を得た。
【００３６】
上記印刷物の上に実施例１で得た複眼レンズ板を重ね、実施例２と同様に複眼レンズ板のガラスビーズとドットが重なるように合わせると、複眼レンズ板を通して１つの印刷パターンが鮮明に表示された。この複眼レンズ板を上下左右いずれかに少し動かすことにより、さらに５種類の印刷パターンが鮮明に表示された。
【００３７】
上記の実施例２、３の印刷物、特に実施例３の印刷物は、複眼レンズ板を用いないで観察するとどのようなパターン情報が記録されているか判読することができなかった。
【００３８】
＜実施例４＞
１００μｍ厚の透明ＰＥＴ上にφ５．０ｍｍのガラスビーズを六方細密充填方式にて平面に並べて、ポリエステル系透明樹脂にてガラスビーズを固定して複眼レンズ板を得た。
また、白色ＰＥＴ上に５．０ｍｍピッチで六方細密のφ０．５ｍｍのドットから構成された文字パターン『１』をスクリーン印刷法にて印刷した。同様に５．０ｍｍピッチで六方細密のφ０．５ｍｍのドットから構成される文字パターン『２』を文字パターン『１』とドットが重ならないように水平方向にすらしてスクリーン印刷法にて印刷した。
上記白色ＰＥＴ上に印刷した複合文字パターン上に表示媒体（印刷物）を文字パターン『１』のドットと文字パターン『２』の水平方向に対して中央にガラスビーズの接点を合わせて、ポリエステル系樹脂の接着剤にて貼り合わせ表示体を得た。
【００３９】
上記表示体を水平方向に視点を変えて見ると、視点により２種類の文字が現出し判読できた。
【００４０】
＜実施例５＞
φ５．０ｍｍ半球を六方細密充填方式にて並べた金型を形成し、射出成型により溶融したアクリル樹脂を射出し冷却することにより、φ５. ０ｍｍ半球の六方細密充填パターンに整列された図１２に示すような複眼レンズ板を作成した。
また、白色ＰＥＴ上に５．０ｍｍピッチで六方細密のφ０．５ｍｍのドットから構成された文字パターン『１』をスクリーン印刷法にて印刷した。同様に５．０ｍｍピッチで六方細密のφ０．５ｍｍのドットから構成される文字パターン『２』を文字パターン『１』とドットが重ならないように水平方向にずらしてスクリーン印刷法にて印刷した。
さらに同様な方式で文字パターン『３』及び文字パターン『４』を文字パターン『１』、『２』、『３』、『４』のドットが互いに重ならないよう水平方向にずらしてスクリーン印刷法にて印刷した。
【００４１】
上記白色ＰＥＴ上に印刷した４個の複合文字パターンの水平方向ドット中央と複眼レンズの半球の中心を一致させ、ポリエステル系樹脂の接着剤にて貼り合わせ表示体を得た。
【００４２】
上記表示体を水平方向に視点を変えて見ると、視点により４種類の文字が現出し判読できた。
【００４３】
このように媒体に複数の印刷パターンを構成しておき、見る位置（視点）を変えることで異なった絵柄（印刷パターン）を表示できるマルチディスプレイが作製可能である。
【００４４】
【発明の効果】
ドットに重ならないように印刷パターン、すなわち、数種類の図柄，文字を入れることで全体の印刷物がなにを表しているのかわからない隠し絵を作ることができ、偽造防止対策に応用することができる。この媒体（印刷物）を複眼レンズ板を通してみることでそれぞれの印刷パターンが独立して浮かび上がることで真偽判断も容易である。従来の隠し絵や文字は１種類程度しか表示できなかったものが、本発明により数種類の隠し絵および文字を入れて合成することでより効果的な偽造防止対策を有する表示体を得ることが可能である。
【００４５】
また、狭い領域に複数の絵柄（印刷パターン）を合成した媒体で、複数の絵柄（印刷パターン）を表示できるマルチディスプレイを作製することが可能である。
【図面の簡単な説明】
【図１】本発明の複眼レンズ板の一実施例を示す平面図である。
【図２】図１の表示体のＸ−Ｘ線における拡大断面図である。
【図３】本発明の媒体（印刷物）の一実施例を示す平面図である。
【図４】本発明の表示原理を示す説明図である。
【図５】図３の媒体（印刷物）の上に図１の複眼レンズ板を重ねて、印刷パターンが映し出された状態を示す平面図である。
【図６】２種類の印刷パターンをドットが重ならないように印刷した媒体（印刷物）の一実施例を示す。
【図７】図６に示す印刷物の上に図１に示す複眼レンズ板を重ね第１の印刷パターンが映し出されたときの状態を示す平面図である。
【図８】図６に示す印刷物の上に図１に示す複眼レンズ板を重ね、図７の状態から複眼レンズ板を少し動かして、第２の印刷パターンが映し出されたときの状態を示す平面図である。
【図９】第１の印刷パターンと第２の印刷パターンが印刷された媒体（印刷物）に複眼レンズをあてた場合の断面図であり、
（ｂ）は、複眼レンズ板を重ね第１の印刷パターンが映し出されたときの状態を示す断面図、
（ｃ）は、複眼レンズ板を重ね第２の印刷パターンが映し出されたときの状態を示す断面図である。
【図１０】第１の印刷パターン、第２の印刷パターンの２種類が印刷された媒体に複眼レンズを貼り合わせて視点位置を変えて、観察される絵柄（印刷パターン）が異なることを説明する模式図である。
【図１１】第１の印刷パターン、第２の印刷パターン、第３の印刷パターンの３種類が印刷された媒体に複眼レンズを貼り合わせて視点位置を変えて、観察される絵柄（印刷パターン）が異なることを説明する模式図である。
【図１２】本発明の半球体形状の複眼レンズ板を示す断面図である。
【符号の説明】
１‥‥複眼レンズ板
２‥‥媒体（印刷物）
３‥‥印刷物
１１‥‥透明球体
１２‥‥透明支持体
２１‥‥印刷用紙
２２‥‥印刷パターン
２２Ａ‥‥第１の印刷パターン
２２Ｂ‥‥第２の印刷パターン
２２Ｃ‥‥第３の印刷パターン
【図１】
0004501168.tif 000002
【図２】
0004501168.tif 000003
【図３】
0004501168.tif 000004
【図４】
0004501168.tif 000005
【図５】
0004501168.tif 000006
【図６】
0004501168.tif 000007
【図７】
0004501168.tif 000008
【図８】
0004501168.tif 000009
【図９】
0004501168.tif 000010
【図１０】
0004501168.tif 000011
【図１１】
0004501168.tif 000012
【図１２】
0004501168.tif 000013